(57)【特許請求の範囲】
【請求項１】
底壁と、該底壁から立設する一対の側壁と、該各側壁の先端側が互いに対向する側壁側に向かうように折り返された一対の折り返し部と、該一対の折り返し部間に形成された開口部と、を有する断面形状が略Ｃ字形状の長尺のベース部材に対して、長尺体を該ベース部材の長手方向と交差する方向に固定するために用いる長尺体支持部材であって、
前記開口部を覆うように前記一対の折り返し部に当接するように配置され、長尺体を載置する載置面を有する載置部と、該載置部から前記ベース部材の開口部を通して該ベース部材の内部へ延出して前記一対の折り返し部を前記載置部とで挟持する挟持部と、該挟持部から底壁側に延出され、前記載置部に載置された長尺体を巻き付け固定すべく、前記開口部から前記ベース部材の内部へ挿通されるバンドを掛けるためのバンド掛け部と、を備え、
前記ベース部材の長手方向における前記載置部の両端部が、前記ベース部材の長手方向における前記バンド掛け部の両端部よりも該ベース部材の長手方向外側に位置し、且つ、前記バンド掛け部に掛けられた前記バンドが前記バンド掛け部よりも前記ベース部材の長手方向外側でそれぞれ係合するバンド係合部を備えていることを特徴とする長尺体支持部材。
【請求項２】
前記バンド掛け部が、前記載置部と前記バンド掛け部との間に、前記開口部を通して挿入される前記バンドの先端を前記バンド掛け部へ誘導するためのバンド誘導部を備えていることを特徴とする請求項１に記載の長尺体支持部材。
【請求項３】
前記バンド誘導部は、前記バンド掛け部と前記載置部とを連結すべく、前記ベース部材の長手方向と略直交する方向で対向するように設けられた一対の縦壁部から構成され、前記ベース部材の長手方向における各縦壁部の両端部に、前記載置部に向かう側ほど前記長手方向外側へ突出する誘導面を備えていることを特徴とする請求項２に記載の長尺体支持部材。
【発明の詳細な説明】
【技術分野】
【０００１】
本発明は、天井や壁面等に対して固定されるベース部材に、ケーブル、冷媒管、排水管、電線管、給水管、給湯管等の配管類である長尺体を固定するために用いる長尺体支持部材に関する。
【０００２】
前記ベース部材は、底壁と、該底壁から立設する一対の側壁と、該各側壁の先端側が互いに対向する側壁側に向かうように折り返された折り返し部と、該折り返し部間に形成された開口部と、を有する断面形状が略Ｃ字形状の長尺の型材として構成されている。このベース部材が、天井や壁面に固定され、固定されたベース部材に対して、長尺体がベース部材の長手方向と略直交する方向に固定するための長尺体支持部材が取り付けられる（非特許文献１）。
【０００３】
図８に示すように、前記長尺体支持部材１００は、長尺体３を載置するための載置部２１を有し、かつ、バンド４を挿通させるバンド挿通部２２を有する本体部２３と、本体部２３から下方に延びるとともにベース部材２０の折り返し部２０Ａ，２０Ａ（図８では、一方のみ図示している）を前記本体部２３とで挟持する挟持部２４と、を備えている。したがって、挟持部２４をベース部材２０の内部に挿入してから、長尺体支持部材１００を９０度回転させて向き変更することによって、本体部２３と挟持部２４とで折り返し部２０Ａ，２０Ａを挟持する。これにより長尺体支持部材１００がベース部材２０に固定され、バンド４をバンド挿通部２２に挿通してから、載置部２１に載置した長尺体３に巻き付けることにより長尺体３を長尺体支持部材１００に固定することができる。
【先行技術文献】
【非特許文献】
【０００４】
【非特許文献１】因幡電機産業株式会社発行の「エアコン配管部材カタログ  ２０１９Ａ」のｐ３５
【発明の概要】
【発明が解決しようとする課題】
【０００５】
上記非特許文献１の長尺体支持部材１００を用いて長尺体３を固定すると、図８に示すように、バンド挿通部２２の両端の開口２２Ａ，２２Ａから出たバンド４が開口縁２２Ｈ，２２Ｈで折れ曲がった状態になってしまう。そのため、場合によっては、バンド４の折れ曲がり部に応力が集中して損傷してしまい、バンド４が破断してしまう可能性があり、改善の余地がある。
【０００６】
本発明は前述の状況に鑑み、解決しようとするところは、折れ曲がりを抑制してバンドの破断を防止できる長尺体支持部材を提供するものである。
【課題を解決するための手段】
【０００７】
本発明の長尺体支持部材は、前述の課題解決のために、底壁と、該底壁から立設する一対の側壁と、該各側壁の先端側が互いに対向する側壁側に向かうように折り返された一対の折り返し部と、該一対の折り返し部間に形成された開口部と、を有する断面形状が略Ｃ字形状の長尺のベース部材に対して、長尺体を該ベース部材の長手方向と交差する方向に固定するために用いる長尺体支持部材であって、前記開口部を覆うように前記一対の折り返し部に当接するように配置され、長尺体を載置する載置面を有する載置部と、該載置部から前記ベース部材の開口部を通して該ベース部材の内部へ延出して前記一対の折り返し部を前記載置部とで挟持する挟持部と、該挟持部から底壁側に延出され、前記載置部に載置された長尺体を巻き付け固定すべく、前記開口部から前記ベース部材の内部へ挿通されるバンドを掛けるためのバンド掛け部と、を備え、前記ベース部材の長手方向における前記載置部の両端部が、前記ベース部材の長手方向における前記バンド掛け部の両端部よりも該ベース部材の長手方向外側に位置し、且つ、前記バンド掛け部に掛けられた前記バンドが前記バンド掛け部よりも前記ベース部材の長手方向外側でそれぞれ係合するバンド係合部を備えていることを特徴としている。
【０００８】
本発明によれば、バンド掛け部に掛けられたバンドが載置部上の長尺体に巻き掛けられる際に、バンド掛け部の両端部よりも該長手方向外側に位置しているバンド係合部にそれぞれ係合することで、ベース部材の内部に位置するバンド掛け部、及び、ベース部材の外部で、かつ、バンド掛け部よりも長手方向外側に位置するバンド係合部により、バンドが弧状に丸められた状態で長尺体に巻き付けられる。
【０００９】
又、本発明の長尺体支持部材は、前記バンド掛け部が、前記載置部と前記バンド掛け部との間に、前記開口部を通して挿入される前記バンドの先端を前記バンド掛け部へ誘導するためのバンド誘導部を備えていてもよい。
【００１０】
本発明によれば、バンドの先端をベース部材の外側から内部に位置するバンド掛け部へ掛ける際に、ベース部材の開口部を通して挿入されるバンドの先端がバンド誘導部でバンド掛け部へ誘導されるので、バンドの先端をバンド掛け部へ迅速に掛けることができる。
【００１１】
又、本発明の長尺体支持部材は、前記バンド誘導部が、前記バンド掛け部と前記載置部とを連結すべく、前記ベース部材の長手方向と略直交する方向で対向するように設けられた一対の縦壁部から構成され、前記ベース部材の長手方向における各縦壁部の両端部に、前記載置部に向かう側ほど前記長手方向外側へ突出する誘導面を備えていてもよい。
【００１２】
上記のように、バンドの先端をバンド掛け部の開口へ挿入する際には、バンドの先端が載置部に向かう側ほど長手方向外側へ突出する誘導面によってスムーズにバンド掛け部の開口側へ誘導される。
【発明の効果】
【００１３】
本発明によれば、載置部の長手方向の両端部に、バンド掛け部に掛けられたバンドがバンド掛け部よりも長手方向外側でそれぞれ係合するバンド係合部を備えることによって、バンドを弧状に丸めて長尺体に巻き付けることができ、バンドの折れ曲がりを抑制して破断を防止できる長尺体支持部材を提供することができる。
【図面の簡単な説明】
【００１４】
【図１】（ａ）は本発明の長尺体支持部材をベース部材に装着する直前の状態を示す平面図、（ｂ）は本発明の長尺体支持部材をベース部材に装着した状態を示す平面図である。
【図２】本発明の長尺体支持部材をベース部材に装着した状態を示す斜視図である。
【図３】図１（ｂ）におけるＩＩＩ−ＩＩＩ線断面図である。
【図４】図１（ａ）におけるＩＶ−ＩＶ線断面図である。
【図５】本発明の長尺体支持部材の斜視図である。
【図６】ベース部材に装着した本発明の長尺体支持部材に長尺体をバンドで固定した状態を示す正面図である。
【図７】ベース部材に装着した本発明の長尺体支持部材に長尺体をバンドで固定した状態を示す縦断側面図である。
【図８】ベース部材に装着した従来の長尺体支持部材に長尺体をバンドで固定した状態を示す側面図である。
【発明を実施するための形態】
【００１５】
以下、本発明の長尺体支持部材の実施形態を図面に基づいて説明する。
【００１６】
図１（ｂ）、図２、図３は、長尺体支持部材１をベース部材２に装着した状態を示している。図１（ａ）及び図４は、長尺体支持部材１をベース部材２に装着する直前の状態を示している。図５は、長尺体支持部材１の斜視図を示している。図６及び図７は、ベース部材２に固定（装着）した長尺体支持部材１に長尺体３をバンド４により巻き付け固定した状態を示している。長尺体３としては、ケーブル、冷媒管、排水管、電線管、給水管、給湯管等の配管類である。また、ベース部材２は、天井や壁面等に対して固定されるが、場合によっては、床面に対して固定されることもある。
【００１７】
ベース部材２は、金属製で構成され、図１（ａ），（ｂ）〜図４に示すように、扁平で板状の底壁５と、底壁５の幅方向両端から上方に立設する一対の扁平で板状の側壁６，６と、各側壁６，６の先端側（底壁５から離れる側）が互いに対向する側壁側に向かうように折り返された一対の折り返し部７，７と、一対の折り返し部７，７間に形成された開口部８と、を有する断面形状が略Ｃ字形状の長尺の型材（チャンネル形鋼）から構成されている。一対の折り返し部７，７は、先端側ほど底壁５側に近づくように下向きに傾斜している（図３及び図４参照）。
【００１８】
長尺体支持部材１は、可撓性を有する合成樹脂（可撓性を有するものであれば、金属でもよい）で構成され、図３〜図４に示すように、ベース部材２の開口部８を覆うように一対の折り返し部７，７それぞれの天部（上部）７Ａに当接するように配置され、長尺体３を載置するフラットな載置面９Ａを有する載置部９と、載置部９からベース部材２の開口部８を通してベース部材２の内部へ延出して一対の折り返し部７，７を載置部９とで挟持する挟持部１０と、挟持部１０から底壁５側に延出され、載置部９に載置された長尺体３を巻き付け固定すべく、開口部８からベース部材２の内部へ挿通されるバンド４を掛けるためのバンド掛け部１１と、を備えている。
【００１９】
載置部９は、図１（ｂ）及び図２の実線に示すように、ベース部材２に装着された状態でベース部材２の長手方向に長い略長方形状で、かつ、薄い板状に構成されている。載置部９を薄い板状に構成することで、ベース部材２からの載置部９の出っ張り量を小さく抑えることができる。また、載置部９の長手方向の長さは、図４に示すように、ベース部材２の短辺方向（幅方向）の長さよりも長い寸法に設定している。例えば、前記載置部９の長手方向の長さを、ベース部材２の短辺方向（幅方向）の長さと同一寸法に設定すると、図１（ａ）、図２（２点鎖線参照）及び図４の状態から載置部９を９０度回転させてベース部材２に長尺体支持部材１を装着する際に、載置部９の長手方向両端部を掴み難いため、載置部９を回転させ難い。そのため、前記のような寸法に設定している。また、載置部９の短辺方向の長さは、図３に示すように、ベース部材２に装着した状態でベース部材２から食み出すことがないように、ベース部材２の短辺方向（幅方向）の長さと同等の寸法に設定しているが、ベース部材２の短辺方向（幅方向）の長さよりも僅かに短い寸法に設定してもよい。
【００２０】
図７に示すように、ベース部材２に装着された状態においてベース部材２の長手方向における載置部９の両端部が、ベース部材２の長手方向におけるバンド掛け部１１の両端部よりも該長手方向外側に位置している。また、載置部９の両端部には、バンド掛け部１１に掛けられたバンド４がバンド掛け部１１よりもベース部材２の長手方向外側でそれぞれ係合するバンド係合部１２を備えている。バンド係合部１２は、後述する第１切欠き部１３Ａから構成されている。
【００２１】
また、図１（ａ），（ｂ）、図２、図５及び図６に示すように、載置部９の両端部には、ベース部材２の長手方向内側に凹む切欠き部１３を備えている。切欠き部１３は、折り返し部７，７の先端７Ｂ，７Ｂに対応する位置から前記長手方向内側に凹む矩形状の第１切欠き部１３Ａと、第１切欠き部１３Ａの短辺方向中央部に前記長手方向内側に更に凹む矩形状の第２切欠き部１３Ｂと、を備えている。したがって、ベース部材２に長尺体支持部材１を装着してから、バンド４をバンド掛け部１１の後述する開口１１Ｋに挿入する際に、切欠き部１３を通してバンド４の先端が見えやすくなり、バンド４を後述する開口１１Ｋに通しやすくなる。また、第１切欠き部１３Ａは、バンド４の幅方向の移動を阻止する阻止部として構成され、第１切欠き部１３Ａの幅寸法を、バンド４の幅寸法よりも僅かに大きく設定している。また、第１切欠き部１３Ａが、前述したように、前記バンド係合部１２を構成している。
【００２２】
バンド掛け部１１は、図５〜図７に示すように、ベース部材２に装着した状態においてベース部材２の長手方向の両端に開口１１Ｋ，１１Ｋを有する断面形状が角型の筒状体からなり、板状の底壁部１１Ａと、板状の天壁部１１Ｂと、ベース部材２の短手方向における前記底壁部１１Ａの両端から上方に延びてベース部材２の短手方向における天壁部１１Ｂの両端部に連結される板状の一対の縦壁部１１Ｃ，１１Ｃと、を備えている。図４に示すように、バンド掛け部１１をベース部材２の開口部８に挿通させるときの幅寸法Ｗ１が、開口部８の幅寸法Ｗ２（折り返し部７，７の先端同士間の距離）よりも短い寸法に設定されている。
【００２３】
天壁部１１Ｂの下面１１ｂは、図７に示す縦断側面図において、ベース部材２の長手方向両端側ほど上方に位置する弧状の湾曲面に構成されている。これにより巻き掛けられたバンド４を弧状に沿わせることができる。また、天壁部１１Ｂの下面１１ｂには、図３に示すように、ベース部材２の短手方向に間隔を置いて多数の凹部１１Ｈが形成されている。各凹部１１Ｈは、天壁部１１Ｂの下面１１ｂにベース部材２の長手方向全域に亘るように形成されている。
【００２４】
バンド掛け部１１と載置部９との間には、開口部８を通して挿入されるバンド４の先端をバンド掛け部１１の開口１１Ｋへ誘導するためのバンド誘導部１４を備えている。
【００２５】
バンド誘導部１４は、図５及び図７に示すように、バンド掛け部１１と載置部９とを連結すべく、ベース部材２の長手方向と略直交する方向で対向するように設けられた一対の板状の縦壁部１４Ａ，１４Ａから構成されている。ベース部材２の長手方向における各縦壁部１４Ａの両端部に、載置部９に向かう側ほどベース部材２の長手方向外側へ突出する誘導面１４ａを備えている。各誘導面１４ａは、ベース部材２の長手方向における縦壁部１４Ａの載置部９側の上端から載置部９側から離間する下端にかけて内側に凹む湾曲面に構成されているが、ベース部材２の長手方向における縦壁部１４Ａの載置部９側の上端から載置部９側から離間する下端にかけて外側に突出する湾曲面に構成してもよいし、湾曲面ではなく、ベース部材２の長手方向における縦壁部１４Ａの載置部９側の上端から載置部９側から離間する下端を直線状に結ぶ平坦面（傾斜平面）であってもよい。
【００２６】
挟持部１０は、バンド掛け部１１を構成する天壁部１１Ｂと、ベース部材２の短手方向における天壁部１１Ｂの両端から短手方向外側に延出された一対の延出部１１Ｄ，１１Ｄと、から構成されている。各延出部１１Ｄは、ベース部材２の短手方向外側ほど底壁部１１Ａ側（下方側）に位置する緩やかな傾斜部に構成されている（図３参照）。また、各延出部１１Ｄは、ベース部材２の長手方向中央部から長手方向外側に向かうほど底壁部１１Ａ側（下方側）に位置する緩やかな傾斜部に構成されている（図５参照）。
【００２７】
図６に示すように、バンド４は、同一幅を有し、長尺体３を巻き掛けて締め付けることができる十分な長さを有し、かつ、可撓性を有する合成樹脂から構成されている。また、バンド４の一端部には、バンド４の他端部が挿入可能な円環部４Ａ（図７参照）を備えている。また、バンド４の表面（外面）には、長手方向に多数の係止突起４Ｔ（図６参照）が形成されており、バンド４の他端部が円環部４Ａに挿入された時に、バンド４の特定の係止突起４Ｔが係止してバンド４の他端部の引き抜き側への移動を阻止する係止片４Ｈ（図６参照）を円環部４Ａに備えている。尚、バンド４としては、図に示すもの以外の構成であってもよい。
【００２８】
上記のように構成された長尺体支持部材１をベース部材２に装着する場合には、まず、長尺体支持部材１の載置部９の長手方向がベース部材２の長手方向と直交する方向に沿う姿勢にした状態で、長尺体支持部材１をベース部材２の上方から下降させることによって、図４に示すように、載置部９が折り返し部７，７の天部７Ａ，７Ａに当接するとともに、バンド掛け部１１が開口部８を通してベース部材２の内部に位置する。この状態（図１（ａ）及び図２の２点鎖線並びに図４参照）から、ベース部材２からはみ出している載置部９の長手方向両端部を掴んで載置部９を縦軸回りに９０度回転させることによって、挟持部１０の上端が折り返し部７，７の先端７Ｂ，７Ｂに下方から当接する。この当接により挟持部１０と上方に位置する載置部９とで折り返し部７，７を挟持保持することができる（図３参照）。
【００２９】
図３の状態、長尺体支持部材１をベース部材２に装着した状態から、長尺体支持部材１の載置部９に長尺体３をそれの長手方向がベース部材２の長手方向と直交する方向（略直交する方向でもよい）で載置する。次に、バンド４の先端をバンド掛け部１１の開口１１Ｋへ挿入する際に、ベース部材２の開口部８を通して挿入されるバンド４の先端が、バンド誘導部１４の誘導面１４ａでバンド掛け部１１の開口１１Ｋへ誘導されるので、バンド４の先端をバンド掛け部１１の開口１１Ｋへ迅速に挿入することができる。そして、バンド掛け部１１に掛けられたバンド４が載置部９上の長尺体３に巻き掛けられる際に、バンド掛け部１１の両端部よりも長手方向外側でかつバンド掛け部１１よりも上方（載置部９側）に位置しているバンド係合部１２，１２にそれぞれ係合することで、図７に示すように、ベース部材２の内部に位置するバンド掛け部１１、及び、ベース部材２の外部で、かつ、バンド掛け部１１よりも長手方向外側でかつバンド掛け部１１よりも上方に位置する各バンド係合部１２又は１２により（全部で３か所で支持されることにより）、バンドが弧状に丸められた状態で長尺体３に巻き付けられる。
【００３０】
尚、本発明の長尺体支持部材１は、上記実施形態に限定されるものではなく、本発明の要旨を逸脱しない範囲で種々の形状の変更が可能である。
【００３１】
前記実施形態では、バンド掛け部１１を、断面形状が角型の筒状体から構成したが、底壁部１１Ａを省略し、天壁部１１Ｂと一対の縦壁部１１Ｃ，１１Ｃとからなる門型から構成してもよいし、天壁部のみで構成してもよい。
【００３２】
また、前記実施形態では、切欠き部１３を、第１切欠き部１３Ａと第２切欠き部１３Ｂの２つの切欠き部から構成したが、１つの切欠き部又は３つ以上の切欠き部から構成してもよい。また、切欠き部１３を矩形状に構成したが、円弧状又は多角形状等、どのような形状に構成してもよい。また、切欠き部１３を省略して実施することもできる。
【００３３】
また、前記実施形態では、ベース部材２の一対の折り返し部７，７が、先端側ほど底壁部１１Ａ側に位置する傾斜姿勢に折り返されているが、底壁部１１Ａと略平行となる水平姿勢に折り返したものであってもよい。この場合、水平姿勢の一対の折り返し部を長尺体支持部材１の載置部９と挟持部１０とで挟持可能となるように、長尺体支持部材１の一対の縦壁部１４Ａ，１４Ａの縦寸法を短く変更して実施することになる。また、ベース部材２の一対の折り返し部７，７が、底壁部１１Ａと略平行となる水平姿勢に折り返した水平板部と、水平板部の先端部を略９０度折り返して側壁６，６と略平行となる上下姿勢に更に折り返した上下板部と、を備えたものであってもよい。
【００３４】
また、前記実施形態では、ベース部材２の内部に長尺体支持部材１のバンド掛け部１１を挿入した状態で長尺体支持部材１を９０度回転させることでベース部材２に装着するようにしたが、ベース部材２の長手方向一端から長尺体支持部材１をスライドさせて載置部９と挟持部１０とが折り返し部７，７に係合することで長尺体支持部材１をベース部材２に装着してもよい。
【００３５】
また、前記実施形態では、長尺体３をベース部材２の長手方向と略直交する方向に固定したが、長尺体３をベース部材２の長手方向と交差する方向（斜めの方向）に固定してもよい。
【符号の説明】
【００３６】
１…長尺体支持部材、２…ベース部材、３…長尺体、４…バンド、４Ａ…円環部、４Ｈ…係止片、４Ｔ…係止突起、５…底壁（先端側）、６…側壁、７…折り返し部、７Ａ…天部（上部）、７Ｂ…先端、８…開口部、９…載置部、９Ａ…載置面、１０…挟持部、１１…バンド掛け部、１１Ａ…底壁部、１１Ｂ…天壁部、１１Ｃ…縦壁部、１１Ｄ…延出部、１１Ｈ…凹部、１１Ｋ…開口、１１ｂ…下面、１２…バンド係合部、１３…切欠き部、１３Ａ…第１切欠き部、１３Ｂ…第２切欠き部、１４…バンド誘導部、１４Ａ…縦壁部、１４ａ…誘導面（湾曲面）、２０…ベース部材、２０Ａ…折り返し部、２１…載置部、２２…バンド挿通部、２２Ａ…開口、２２Ｈ…開口縁、２３…本体部、２４…挟持部、１００…長尺体支持部材、Ｗ１，Ｗ２…幅寸法
【要約】
【課題】折れ曲がりを抑制してバンドの破断を防止できる長尺体支持部材を提供する。
【解決手段】長尺体３を載置する載置面９Ａを有する載置部９と、載置部９からベース部材２の開口部８を通してベース部材２の内部へ延出して一対の折り返し部を載置部９とで挟持する挟持部と、挟持部から底壁側に延出され、載置部９に載置された長尺体３を巻き付け固定すべく、開口部８からベース部材２の内部へ挿通されるバンド４を掛けるためのバンド掛け部１１と、を備え、ベース部材２の長手方向における載置部９の両端部が、ベース部材２の長手方向におけるバンド掛け部１１の両端部よりも長手方向外側に位置し、且つ、バンド掛け部１１に掛けられたバンド４がバンド掛け部１１よりもベース部材２の長手方向外側でそれぞれ係合するバンド係合部１２，１２を備えている。
【選択図】図７【図１】
0006899937.tif 000002
【図２】
0006899937.tif 000003
【図３】
0006899937.tif 000004
【図４】
0006899937.tif 000005
【図５】
0006899937.tif 000006
【図６】
0006899937.tif 000007
【図７】
0006899937.tif 000008
【図８】
0006899937.tif 000009